(57)【要約】【課題】  ＡＶアンプにＴＶ受信装置と、レコーダがそれぞれＨＤＭＩ接続されたＡＶシステムにおいて、レコーダで再生した音声を、ＡＶアンプで出力している状態で、ＴＶ受信装置にヘッドホンを挿入した場合でも、ヘッドホンからの音声出力を可能にする。【解決手段】  ＴＶ受信装置にヘッドホンが挿入されたことが検知されると、ＡＶアンプから音声出力している場合には、音声データの出力先を切替える旨の制御情報を、ＴＶ受信装置からＡＶアンプに送信する。  ＡＶアンプは、制御情報に応じて、レコーダから入力した音声データの出力先をスピーカ出力部からＴＶ受信装置へ切替える。【選択図】  図２
2010057085.tif 000002
【特許請求の範囲】
【請求項１】
入力した音声データを信号処理して音声出力する音声出力装置と接続可能なＴＶ受信装置であって、
ヘッドホンの挿抜を検知して、音声データをヘッドホンに出力するヘッドホン出力手段と、
前記音声出力装置と通信するための通信手段と、
前記通信手段を用いて前記音声出力装置を制御する制御手段とを有し、
前記制御手段は、ヘッドホンの挿入が検知された場合に、前記音声出力装置が入力した音声データをＴＶ受信装置に出力するように前記音声出力装置を制御することを特徴とするＴＶ受信装置。
【請求項２】
前記通信手段を用いて、前記音声データは前記音声出力装置から一方向で送信され、前記音声出力装置を制御するための制御情報は、双方向で送受信されることを特徴とする請求項１記載のＴＶ受信装置。
【請求項３】
前記音声出力装置は、映像再生装置と接続されており、前記映像再生装置から入力した音声データを、前記制御手段からの前記制御情報に応じて、スピーカに接続された音声出力手段と前記ＴＶ受信装置との何れかに出力する出力制御手段を有することを特徴とする請求項２記載のＴＶ受信装置。
【請求項４】
放送信号を受信する受信手段と、前記放送信号に多重化された音声データを前記音声出力装置に出力する音声データ出力手段と、前記音声データを前記音声データ出力手段と前記ヘッドホン出力手段の何れかに選択的に出力する切替え手段とを有し、
前記制御手段は、ヘッドホンの挿入が検知された場合には、前記音声データを前記ヘッドホン出力手段に出力するように前記切替え手段を制御することを特徴とする請求項１記載のＴＶ受信装置。
【請求項５】
センタースピーカ音声データを入力するセンタースピーカ入力手段と、
前記音声データに信号処理を施す音声処理手段とを有し、
前記制御手段は、センタースピーカ音声データが入力されている場合には、前記音声データにサラウンド処理を施すように前記音声処理手段を制御する請求項１記載のＴＶ受信装置。
【請求項６】
前記音声出力装置は、前記入力した音声データに信号処理を施して前記音声出力手段に出力していたか否かの情報を、前記制御情報として前記ＴＶ受信装置に送信し、
前記制御手段は、前記制御情報に基いて、前記入力した音声データに信号処理を施して前記音声出力手段に出力していた場合には、前記音声出力装置から入力した音声データに所定の信号処理を施すように音声処理手段を制御することを特徴とする請求項３記載のＴＶ受信装置。
【請求項７】
入力した音声データを信号処理して音声出力する音声出力装置と接続可能なＴＶ受信装置の制御方法であって、
前記ＴＶ受信装置へのヘッドホンの挿入が検知された場合に、
前記音声出力装置と前記音声データ及び制御情報を通信するための通信手段を用いて、前記音声出力装置が入力した音声データをＴＶ受信装置に出力するように前記音声出力装置を制御することを特徴とするＴＶ受信装置の制御方法。
【発明の詳細な説明】
【技術分野】
【０００１】
本発明は、ＡＶアンプと接続可能なＴＶ受信装置及びその制御方法に関する。
【背景技術】
【０００２】
ＡＶ機器間で、映像、音声などのデジタル信号を伝送する通信規格として、ＨＤＭＩ（ｈｉｇｈ  ｄｅｆｉｎｉｔｉｏｎ  ｍｕｌｔｉｍｅｄｉａ  ｉｎｔｅｒｆａｃｅ）がある。このＨＤＭＩ規格には、相互機器制御のコマンド送受信機能であるＣＥＣ（Ｃｏｎｓｕｍｅｒ  Ｅｌｅｃｔｒｏｎｉｃｓ  Ｃｏｎｔｒｏｌ）が含まれる。近年、ＨＤＭＩを用いて、ＴＶ受信装置、ＡＶアンプ、レコーダをそれぞれ接続し、ＴＶ受信装置のリモコンを用いて、各機器をＣＥＣにより制御できるシステムが普及しつつある。図１２（ａ）に示すように、ＴＶ受信装置のリモコンを使用して、レコーダからの音声信号を、ＴＶ受信装置のスピーカとＡＶアンプのスピーカとの何れかで出力するのかを、切替制御することができる。
【０００３】
また、図１２（ｂ）に示すように、レコーダにＴＶ受信装置とＡＶアンプが接続される形態も可能であるが、ＨＤＭＩにより接続される場合は、図１２（ａ）の接続形態が望ましい。下記特許文献１には、図１２（ｂ）のシステム構成のＡＶ装置が記載されている。送信元であるレコーダが、ＴＶ受信装置、ＡＶアンプ双方のＥＤＩＤメモリ内に記憶されている音声出力に関する情報を読込み、音声信号の出力先を切替えることが記載されている。
【特許文献１】特開２００７−２６７１１６号公報
【発明の開示】
【発明が解決しようとする課題】
【０００４】
従来、音声の出力先がＴＶ受信装置とＡＶアンプの２つあるために、ヘッドホンでの聴取の際に、誤操作を行う場合があった。つまり、ＡＶアンプから音声を出力している際に、誤ってＴＶ受信装置のヘッドホン端子にヘッドホンを挿入したために、音声が出力されない、ということが起きていた。特に、ＴＶ受信装置の表示パネルとチューナ部を別体構成としたセパレート型では、そのチューナ部をＡＶアンプと並べて置く場合が多いので、前述の誤操作を生じやすくなってきている。
【０００５】
本発明は、上記課題に鑑み、ヘッドホンの挿入先を誤った場合でも、音声出力可能なＴＶ受信装置を提供することを目的とする。
【課題を解決するための手段】
【０００６】
本発明のＴＶ受信装置は、入力した音声データを信号処理して音声出力する音声出力装置と接続可能なＴＶ受信装置であって、
ヘッドホンの挿抜を検知して、音声データをヘッドホンに出力するヘッドホン出力手段と、
前記音声出力装置と通信するための通信手段と、
前記通信手段を用いて前記音声出力装置を制御する制御手段とを有し、
前記制御手段は、ヘッドホンの挿入が検知された場合に、前記音声出力装置が入力した音声データをＴＶ受信装置に出力するように前記音声出力装置を制御することを特徴とする。
【発明の効果】
【０００７】
本発明によれば、ユーザは、ＴＶ受信装置とＡＶアンプとの音声出力状態を意識することなく、ＴＶ受信装置とＡＶアンプとの何れに挿入したヘッドホンでも音声を聴取できる。
【発明を実施するための最良の形態】
【０００８】
以下、本発明の実施形態について説明する。
【実施例１】
【０００９】
図１は、本発明の実施例１に係るＡＶシステムの構成図である。本システムは、互いに接続可能なＴＶ受信装置１００、音声出力装置としてのＡＶアンプ２００、映像再生装置としてのレコーダ３００から成る。映像再生装置としては、パーソナルコンピュータやゲーム機でもよい。ＴＶ受信装置１００はＡＶアンプ２００と、音声データやＣＥＣコマンドなどの制御情報の送受信が可能なＨＤＭＩケーブルによって接続されている。但し、音声データはＡＶアンプ２００からＴＶ受信装置１００に一方向に送信され、制御情報は双方向に送受信される。ＴＶ受信装置１００とＡＶアンプ２００は、無線ＨＤＭＩ等の無線通信Ｉ／Ｆを介して接続されてもよい。また、ＴＶ受信装置１００からＡＶアンプ２００への音声データの送信は、光デジタル音声ケーブルや同軸デジタル音声ケーブル等のデジタル音声ケーブルを介して行われる。レコーダ３００とＡＶアンプ２００も、ＨＤＭＩケーブル又は無線通信手段によって接続されている。
【００１０】
図２は、ＴＶ受信装置１００のブロック図である。
【００１１】
チューナ部１０１は、放送信号を受信し、制御部１０９からの選局指示に応じて、選局された放送信号に復調処理を施して、トランスポートストリーム（ＴＳ）を生成し、デコード部１０２へ出力する。
【００１２】
デコード部１０２は、ＴＳを、映像データ、音声データ、情報データに分離し、それぞれデコード処理を行う。デコードされた映像データは、画像処理部１１２へ、音声データは音声処理部１０３へそれぞれ出力される。即ち、放送信号に多重化された音声データは、不図示のデマルチプレクサで分離され、デコードされて非圧縮データとなる。
【００１３】
音声処理部１０３（音声処理手段）は、デコードされた音声データに、音質、臨場感等の音質処理、及び音量処理等の音声処理を施し、音声処理された音声データを音声切替部１０４へ出力する。音声処理には、擬似サラウンド処理、低音を強調する処理、セリフを明瞭化する処理などのサランド処理も含まれる。
【００１４】
音声切替部１０４（切替え手段）は、制御部１０９（制御手段）の指示によって、音声データの出力経路を切替える。音声データは、スピーカ出力部１０５、ヘッドホン（又はイヤホン）出力部１０６（ヘッドホン出力手段）、及びデジタル音声出力部１０７（音声データ出力手段）に選択的に出力される。
【００１５】
スピーカ出力部１０５に出力された音声データは、Ｄ／Ａ変換、及び増幅処理が施され、ＴＶ受信装置１００に付随するスピーカに出力される。
【００１６】
ヘッドホン出力部１０６に出力された音声データは、Ｄ／Ａ変換、及び増幅処理を施され、ヘッドホン端子に出力される。なお、ヘッドホン出力部１０６は、ヘッドホンの挿入・抜去を検知する手段を有し、挿抜の状態が変化した場合は、制御部１０９へその旨を通知する。
【００１７】
音声切替え部１０４から出力された音声データは、選択的にデジタル音声出力部１０７に入力され、デジタル音声出力部１０７に接続されたデジタル音声出力端子から出力される。
【００１８】
音声データのフォーマットには、ＰＣＭ（Ｐｕｌｓｅ  Ｃｏｄｅ  Ｍｏｄｕｌａｔｉｏｎ）やＡＡＣ（Ａｄｖａｎｃｅｄ  Ａｕｄｉｏ  Ｃｏｄｉｎｇ）などがある。符号化されたフォーマットの音声データの場合は、デコード部１０２や音声処理部１０３を介さずに、デジタル音声出力部１０７に直接出力しても良い。また、デジタル音声出力端子とは、主に光デジタル音声出力端子や、同軸デジタル音声出力端子を指すが、これに限ったものではなく、例えばアナログの出力端子であってもよい。デジタル音声出力端子は、ＡＶアンプ２００と接続される。
【００１９】
ＨＤＭＩ  Ｉ／Ｆ部１０８（通信手段）は、外部の機器とＨＤＭＩで接続するためのインターフェースである。ＤＤＣライン／ＴＤＭＳライン／ＣＥＣラインを介し、外部機器認証やコピー制御、外部機器制御の為の制御情報の送受信、及び映像データや音声データの受信を行う。
【００２０】
制御部１０９は、リモコン受信部１１０で受信したリモコンコードに基づき、選局や入力切替など通常のテレビ制御に加え、ＨＤＭＩ  Ｉ／Ｆ部１０８を介して、外部機器制御用のＣＥＣコマンドを送受信する。ＣＥＣコマンドの送信により、ＴＶ受信装置１００のスピーカを使用せずに、ＡＶアンプ２００のスピーカから音声出力する制御が行われる。更に制御部１０９は、ヘッドホン出力部１０５からのヘッドホンの挿抜情報、及びメモリ部１１１内に保存されている情報に基づき、音声データの出力経路の切替制御も行う。
【００２１】
メモリ部１１１は、チャンネル情報やユーザ設定情報などを保存する。ユーザ設定情報としては、放送番組の視聴やレコーダ３００からのコンテンツを再生する際に、優先して出力するスピーカの設定情報である。スピーカには、ＴＶ受信装置１００に付随するスピーカと、ＡＶアンプ２００に付随するスピーカがある。更に、ユーザ設定情報には、ヘッドホン挿入時に、スピーカをミュートしてヘッドホンからのみ音声出力するのか、或いはスピーカとヘッドホン両方に音声出力するのか、と言ったヘッドホン挿入時の動作設定情報も含まれる。画像処理部１１２は、映像データにコントラスト調整、色補正、輪郭補正、ノイズ除去、輝度補正、階調補正、エッジ強調、ホワイトバランス補正などの画像処理を施す。
【００２２】
表示部１１３は、画像処理部１１２によって処理された映像データに基く映像を表示する。表示部１１３は、ＴＶ受信装置１００とは別体に配置されてもよい。
【００２３】
図３は、ＡＶアンプ２００のブロック図である。
【００２４】
デジタル音声入力部２０１は、ＴＶ受信装置１００のデジタル音声出力部１０７から出力された音声データを入力する。
【００２５】
デコード部２０２は、エンコードされた音声データに対してデコード処理を行う。
【００２６】
音声処理部２０３は、デコード部２０２より出力された音声データに、音質処理やサラウンド処理、音量処理を施す。
【００２７】
音声切替部２０４は、制御部２０８の指示によって、音声データの出力経路を切替える。音声切替部２０４により、音声データは、スピーカ出力部２０５（音声出力手段）とヘッドホン出力部２０６に選択的に出力される。
【００２８】
スピーカ出力部２０５は、音声切替部２０４から出力された音声データにＤ／Ａ変換及び増幅処理を施し、ＡＶアンプ２００に付随するスピーカに音声データを出力する。音声は、通常５．１ｃｈ以上のスピーカでの出力が可能であり、スピーカシステムとして、通常ＬＲ用スピーカに加え、リアのスピーカ、センタースピーカ、サブウーハ−用スピーカからなる。
【００２９】
ヘッドホン出力部２０６は、音声切替部２０４から出力された音声データにＤ／Ａ変換、及び増幅処理を施し、ＡＶアンプ２００に付随するヘッドホン（又はイヤホン）端子に音声データを出力する。
【００３０】
ＨＤＭＩ  Ｉ／Ｆ部２０７（出力制御手段）は、外部の機器とＨＤＭＩで接続するためのインターフェースである。本実施例では、外部の機器として、ＴＶ受信装置１００、及びレコーダ３が接続される。
【００３１】
制御部２０８は、ＨＤＭＩ  Ｉ／Ｆ部２０７を介して、ＴＶ受信装置１００から、入力切替用のＣＥＣコマンドを受信すると、ＨＤＭＩ  Ｉ／Ｆ部２０７から入力される音声データとデジタル音声入力部２０１から入力される音声データとを切替える。切替られた音声データに基いた音声がＡＶアンプ２００に付随するスピーカシステムから出力される。本実施例では、ＨＤＭＩ  Ｉ／Ｆ部２０７から入力される音声データとは、レコーダ３００が再生した音声データであり、デジタル音声入力部２０１から入力される音声データとは、ＴＶ受信装置１００から入力される音声データである。
【００３２】
図４は、レコーダ３００のブロック図である。
【００３３】
ディスクドライブ部３０１は、映像・音声データを各種メディアから読み出す。ここでメディアとは、ＤＶＤやブルーレイ、ハードディスクなどである。
【００３４】
デコード部３０２は、ディスクドライブ部３０１で読み出した映像・音声データがエンコードされている場合に、映像・音声データのデコード処理を行う。
【００３５】
多重化部３０４は、音声処理部３０３から出力された音声データと、画像処理部３０６から出力された映像データとを、ＨＤＭＩ規格に準拠したフォーマットにそれぞれ変換し多重化する。
【００３６】
ＨＤＭＩ  Ｉ／Ｆ部３０５は、ＡＶアンプ２００とＨＤＭＩで接続するためのインターフェースである。なお、ＨＤＭＩ  Ｉ／Ｆ部３０５は、ＨＤＭＩ規格に準拠し、再生時などの所定のタイミングで、ＴＶ受信装置１００やＡＶアンプ２００から、各々の機器情報を取得する。機器情報は、ＴＶ受信装置１００やＡＶアンプ２００に配置されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）メモリに格納されている。機器情報としては、対応表示フォーマットや、対応音声フォーマット、リップシンク情報などがある。
【００３７】
画像処理部３０６は、所定の画像処理を映像データに施す。
【００３８】
制御部３０７は、ＨＤＭＩ  Ｉ／Ｆ部３０５を介して入力したＣＥＣコマンドや、機器情報に基いて、映像・音声データの再生制御を行う。
【００３９】
図５は、レコーダ３００が映像・音声を再生中に、ＴＶ受信装置１００にヘッドホンが挿入された場合のＴＶ受信装置１００の動作を示したフローチャートである。
【００４０】
ヘッドホン出力部１０６は、ＴＶ受信装置１００の起動中に、ヘッドホン端子へのヘッドホンの挿抜の変化を監視する（Ｓ３０１）。挿抜の変化が無い場合はその監視を継続する。挿抜の変化がある場合には、その挿入又は抜去の情報を、制御部１０９へ通知する。制御部１０９は、ヘッドホン挿抜の状態が変化したと判断した場合、メモリ部１１１からユーザ設定情報を取得する（Ｓ３０２）。取得するユーザ設定情報は、ヘッドホン挿入時の音声出力設定である。ユーザ設定には、少なくとも以下の２つの設定がある。一つは、ヘッドホンが挿入されるとスピーカをミュートしてヘッドホンのみ出力する第１の設定であり、もう一つは、スピーカとヘッドホン両方から出力する第２の設定である。なお、ユーザ設定情報の取得は、ヘッドホン挿抜のタイミング以外にも、例えば、ＴＶ受信装置の起動やユーザ設定更新のタイミングでもよい。
【００４１】
その後、制御部１０９は、音声出力状態を確認する（Ｓ３０３）。音声出力状態には、ＴＶ受信装置１００からの音声出力と、ＡＶアンプ２００からの音声出力との２つの状態がある。ＴＶ受信装置１００からの音声出力の場合、制御部１０９は、音声出力部１０４に対して、音声出力の切替を指示する。音声切替部１０４は、音声出力切替指示に従い、ＴＶ受信装置１００からの音声出力を、スピーカ出力からヘッドホン出力へ切替える。又はユーザ設定に応じて、スピーカ出力に加えてヘッドホンへも出力する（Ｓ３０４）。ＡＶアンプ２００からの音声出力の場合、制御部１０９は、ＡＶアンプ２００からのスピーカ出力を、ＴＶ受信装置１００からのヘッドホン出力へ切替える。又はユーザ設定に応じて、スピーカ出力に加えて、ヘッドホンへも出力する（Ｓ３０５）。
【００４２】
図６は、ＴＶ−アンプ間音声切り替え処理（Ｓ３０５）のフローを示したフローチャートである。まず、ＴＶ受信装置１００側のフローを説明する。制御部１０９は、ＡＶアンプ２００からの音声データが出力されていると判断した場合（Ｓ３０３）、ＨＤＭＩ  Ｉ／Ｆ部１０８を介して、接続先のＡＶアンプ２００へ入力切替のＣＥＣコマンドを送信する（Ｓ４０１）。ＡＶアンプ２００は、レコーダ３００からの音声データを入力しているので、ＡＶアンプ２００の入力状態を、ＴＶ受信装置１００のデジタル音声出力部１０７から出力された音声データに切替える。即ち、レコーダ３００から出力された映像・音声データは、ＡＶアンプ２００を通過してＴＶ受信装置１００に入力される。
【００４３】
制御部１０９は、ＨＤＭＩ  Ｉ／Ｆ部１０８からの音声データの入力を監視する（Ｓ４０２）。音声データの入力が確認されると、制御部１０９は、ヘッドホンへの出力処理を行う（Ｓ４０３）。制御部１０９は、デコード部１０２への入力を、チューナ部１０２からＨＤＭＩ  Ｉ／Ｆ部１０８へ切替えると共に、音声切替部１０４に対して、ヘッドホン出力部１０６への出力を指示する。また、同時に制御部１０９は、音声切替部１０４に対して、デジタル音声出力部１０７への出力も指示する。なお、常にＴＶ受信装置１００のデジタル音声端子から音声データが出力される仕様である場合には、デジタル音声出力部１０７への出力切替え処理は不要である。制御部１０９は、ユーザ設定情報に応じて処理を切り分ける（Ｓ４０４）。ユーザ設定が第２の設定の場合、本フローは終了する。ユーザ設定が第１の設定の場合、制御部１０９は、デジタル音声出力部１０７から出力される音声データにミュート処理を行う（Ｓ４０５）。このとき、デジタル音声出力部１０７からの出力をミュートせず、ＣＥＣコマンドによって、ＡＶアンプ２００に入力された音声データの処理を停止することにより、スピーカ出力部２０５からの音声データ出力をミュートしても良い。
【００４４】
一方、ＡＶアンプ２００側のフローとして、制御部２０８は、ＨＤＭＩ  Ｉ／Ｆ部２０７を介して、ＴＶ受信装置１００から入力切替用のＣＥＣコマンドを受信すると（Ｓ４０６）、コマンドに応じた入力切替処理を行う（Ｓ４０７）。
【００４５】
図７（ａ）〜（ｃ）は、図５及び図６の処理による音声経路の変化を示した図である。図７（ａ）は、ヘッドホンが挿入される前の音声出力状態を示しており、レコーダ３００の音声データが、ＡＶアンプ２００に接続されたスピーカから音声出力されている様子を模式的に示している。図７（ｂ）は、ヘッドホン挿入時のユーザ設定が第１の設定（ヘッドホンのみ出力）の場合の音声出力状態を示している。ＡＶアンプ２００は、ＴＶ受信装置１００からの入力切替用のＣＥＣコマンドに基いて、音声入力をＴＶ受信装置１００からのレコーダ３００へ切替える。さらに、レコーダ３００から入力した音声データをスルーして、ＴＶ受信装置１００へ送出する。ＴＶ受信装置１００は、レコーダ３００からＡＶアンプ２００を経由して受信した音声データを、ヘッドホンへ出力する。
【００４６】
図７（ｃ）は、ヘッドホン挿入時のユーザ設定が第２の設定（スピーカとヘッドホン共に出力）の場合の音声出力状態を示している。ＴＶ受信装置１００は、ＡＶアンプ２００を経由して受信した音声データを、ヘッドホンへ出力すると共に、同じ音声データをデジタル音声出力端子からＡＶアンプ２００へ出力する。ＡＶアンプ２００は、事前にデジタル音声出力端子から音声データを入力する状態になっており、音声データに基いた音声をスピーカから出力する。
【００４７】
一方、ＡＶアンプ２００にヘッドホンが挿入された場合は、上述した音声データの経路変更処理をすることなく、ヘッドホン出力部２０６に音声データが出力されて、ヘッドホンでの聴取が可能となる。
【００４８】
以上、本実施例によれば、ＴＶ受信装置１００とＡＶアンプ２００の何れにヘッドホンを挿入した場合であっても、音声出力状態に係わらずヘッドホンでの音声聴取が可能となる。更に、本実施例では、標準規格に準拠したＣＥＣコマンドを使用している。即ち、ベンダーコマンドに依存しないため、多くのＴＶ受信装置、及びＡＶアンプの組み合わせで汎用的に実施できる。
【実施例２】
【００４９】
図８は、本発明の実施例２に係るＡＶシステムの構成図である。ＴＶ受信装置４００のセンタースピーカから音声出力するための音声データを、ＡＶアンプ２００から送信する接続ケーブルが設けられている。図９は、本発明の実施例２に係るＴＶ受信装置４００のブロック図である。
【００５０】
センタースピーカ入力部４１４（センタースピーカ入力手段）を備えたこと以外は、実施例１と同様である。センタースピーカ音声データは、ＡＶアンプ２００から出力され、センタースピーカ端子に接続されたセンタースピーカ入力部４１４を通して入力される。そして、音声処理部４０３にて、所定の信号処理を施した後、音声切替部４０４を経て、スピーカ出力部４０５から出力される。
【００５１】
図１０は、本実施例における、ＴＶ受信装置４００にヘッドホンが挿入された際の動作を示したフローチャートである。
【００５２】
ヘッドホン出力部４０６は、ＴＶ受信装置４００の起動中に、ヘッドホン端子への挿抜の変化を監視する（Ｓ５０１）。変化が無い場合はその監視を継続する。変化がある場合には、その挿入もしくは抜去の情報を、制御部４０９へ通知する。制御部４０９は、ヘッドホン挿抜の状態が変化したと判断した場合、メモリ部４１１から実施例１と同様のユーザ設定情報を取得する（Ｓ５０２）。ユーザ設定情報の取得は、ＴＶ起動時やユーザ設定更新時に実施しても良い。
【００５３】
制御部４０９は、実施例１同様、音声出力状態を確認する（Ｓ５０３）。ＴＶ受信装置４００から音声出力の場合、制御部４０９は、音声出力部４０４に対して、音声出力の切替を指示する。音声切替部４０４は、切替指示に従いＴＶ受信装置４００内の音声出力を、スピーカ出力からヘッドホン出力へ切替えるかスピーカ出力に加えてヘッドホンからの出力を行う（Ｓ５０４）。ＡＶアンプ２００から音声出力の場合、制御部４０９は、センタースピーカ入力部４１４から音声データが入力されているか否かを確認する（Ｓ５０５）。制御部４０９は、ＡＶアンプ２００からのスピーカ出力を、ＴＶ受信装置４００からのヘッドホン出力へ切替えるか、若しくは前述のスピーカ出力に加えて、前述のヘッドホン出力を追加する。（Ｓ５０６）。ＴＶ−アンプ間音声切替え処理のフローは実施例１と同様である。さらに、制御部４０９は、センタースピーカ端子からの入力の有無によって、サラウンド処理の可否を判断する（Ｓ５０７）。ここでセンタースピーカ端子から入力信号がない場合は、そのまま処理を終了する。一方、センタースピーカ端子から入力信号がある場合は、ヘッドホン挿入前は、ＡＶアンプ２００にてサラウンド出力されていたと判断する。そして、音声処理部４０３に対し、ＨＤＭＩ  Ｉ／Ｆ部４０８から入力される音声データに対し、サラウンド処理を施すよう指示する（Ｓ５０８）。ここでのサラウンド処理とは、擬似サラウンド処理であり、ヘッドホンから出力される２ｃｈの音声を、仮想的に複数ｃｈの音声として聞こえるような処理である。
【００５４】
本実施例によれば、ヘッドホンでの聴取時に、ヘッドホン挿入前のスピーカでの聴取時に施されていたサラウンド効果を継続させることができる。
【実施例３】
【００５５】
本発明の実施例３に係るＡＶシステムの構成は実施例１と同様である。実施例１との相違は、ＡＶアンプ２００から出力されている音声データにサラウンド処理が施されているか否かに応じて、ＴＶ受信装置１００での音声処理を異ならせる点である。図１１は、本実施例での、ＴＶ−アンプ間音声切替処理を詳細に示したフローチャートである。ＴＶ受信装置１００側のフローを説明する。ＡＶアンプ２００からの音声データが出力されていると判断した場合、制御部１０９は、ＨＤＭＩ  Ｉ／Ｆ部１０８を介して、接続先のＡＶアンプ２００へ入力切替用のＣＥＣコマンドを送付する（Ｓ６０１）。ＡＶアンプ２００は、レコーダ３００からの音声データを入力している。ＴＶ受信装置１００は、ＡＶアンプ２００の入力状態を、ＴＶ受信装置１００のデジタル音声端子から出力された音声の入力へ切替えるための前記コマンドを発行する。
【００５６】
制御部１０９は、ＡＶアンプ２００から、スピーカ音声の出力情報を取得する（Ｓ６０２）。本処理は、Ｓ６０１の前に行っても良い。出力情報とは、サラウンド処理を施しているか否かという情報と、スピーカから音声出力されているか否かという情報である。制御部１０９は、ＡＶアンプ２００がサラウンド処理を施した音声データをスピーカ出力していると判断した場合に、音声処理部１０３にサラウンド処理を指示する（Ｓ６０４）。制御部１０９は、ＨＤＭＩ  Ｉ／Ｆ部１０８からの音声データの入力を監視する（Ｓ６０５）。音声データの入力が確認されると、制御部１０９は、ヘッドホンへの出力処理を行う（Ｓ６０６）。制御部１０９は、実施例１同様、ユーザ設定情報によって処理を切り分ける（Ｓ６０７）。
【００５７】
次に、ＡＶアンプ２００側のフローを説明する。制御部２０８は、ＨＤＭＩ  Ｉ／Ｆ部２０７を介して、ＴＶ受信装置１００から入力切替用のＣＥＣコマンドを受信する（Ｓ６０９）と、コマンドに応じた入力切替処理を行う（Ｓ６１０）。その際、制御部２０８は、音声データがサラウンド処理されているか否かを判断し（Ｓ６１１）、サラウンド処理が施されている場合は、その旨をＴＶ受信装置１００へ送信する（Ｓ６１２）。その他の処理フローは実施例１と同様である。
【００５８】
本実施例では、サラウンド処理をＴＶ受信装置１００の音声処理部１０３で行ったが、ＡＶアンプ２００の音声処理部２０３で行い、サラウンド処理された音声データをＴＶ受信装置１００に送信するようにしてもよい。
【００５９】
本実施例によれば、センタースピーカ音声の接続状態と無関係に、ヘッドホンでの聴取時に、ヘッドホン挿入前のスピーカでの聴取時に施されていたサラウンド効果を継続させることができる。
【図面の簡単な説明】
【００６０】
【図１】本発明に係るＡＶシステムの構成図である。
【図２】本発明に係るＴＶ受信装置のブロック図である。
【図３】本発明に係るＡＶアンプのブロック図である。
【図４】本発明に係るレコーダのブロック図である。
【図５】本発明に係るヘッドホン挿入に伴う音声切替処理のフローチャートである。
【図６】本発明に係るＴＶ−アンプ間音声切替処理のフローチャートである。
【図７】本発明に係るヘッドホン挿入時の音声経路を示した説明図である。
【図８】本発明に係る他のＡＶシステムの構成図である。
【図９】本発明に係る他のＴＶ受信装置のブロック図である。
【図１０】本発明に係る他のヘッドホン挿入に伴う音声切替処理のフローチャートである。
【図１１】本発明に係る他のＴＶ−アンプ間音声切替処理のフローチャートである。
【図１２】ＴＶ受信装置、ＡＶアンプ、レコーダの接続例を示す模式図である。
【符号の説明】
【００６１】
１００、４００  ＴＶ受信装置
１０１  チューナ部
１０２  デコード部
１０３  音声処理部
１０４  音声切替部
１０５  スピーカ出力部
１０６  ヘッドホン出力／検知部
１０７  デジタル音声出力部
１０８  ＨＤＭＩ  Ｉ／Ｆ部
１０９  制御部
１１０  リモコン受信部
１１１  メモリ部
１１２  画像処理部
１１３  表示部
２００  ＡＶアンプ
２０１  デジタル音声入力部
２０２  デコード部
２０３  音声処理部
２０４  音声切替部
２０５  スピーカ出力部
２０６  ヘッドホン出力部
２０７  ＨＤＭＩ  Ｉ／Ｆ部
２０８  制御部
３００  レコーダ
３０１  ディスクドライブ部
３０２  デコード部
３０３  音声処理部
３０４  多重化部
３０５  ＨＤＭＩ  Ｉ／Ｆ部
３０６  画像処理部
３０７  制御部
４１４  センタースピーカ入力部
【図１】
2010057085.tif 000003
【図２】
2010057085.tif 000004
【図３】
2010057085.tif 000005
【図４】
2010057085.tif 000006
【図５】
2010057085.tif 000007
【図６】
2010057085.tif 000008
【図７】
2010057085.tif 000009
【図８】
2010057085.tif 000010
【図９】
2010057085.tif 000011
【図１０】
2010057085.tif 000012
【図１１】
2010057085.tif 000013
【図１２】
2010057085.tif 000014